(57)【要約】【課題】放射線監視システムにおいて、観測を希望する放射線検出器の検出データを、瞬時に表示画面上に表示する。【解決手段】放射線監視システムは、中央監視装置３０、放射線検出器１０，１２、入退室リーダ１４などで構成されている。操作者は、表示画面４２のメニュー表示を利用した一連の入力操作によって、放射線検出器１０，１２のいずれか一つを選択することにより、放射線検出器１０，１２の検出データを表示画面４２に表示させることができる。また、各放射線検出器１０，１２に対応して設けられた個別選択スイッチの操作によって、放射線検出器１０，１２のいずれか一つを選択し、検出データを表示させることができる。この個別選択スイッチを利用すると、瞬時に検出データを表示させることができ、好適である。【選択図】        図１
2004258010.tif 000002
【特許請求の範囲】
【請求項１】
監視領域に配置され、放射線を検出する複数の放射線検出器と、
前記複数の放射線検出器の検出データを収集する中央監視装置と、
を含み、
前記中央監視装置は、
表示画面上のメニュー表示を利用した一連の入力操作によって選択された前記放射線検出器の検出データを表示画面上に表示する第一表示処理手段と、
前記各放射線検出器に対応して設けられた複数の個別選択スイッチと、
前記複数の個別選択スイッチの操作によって選択された前記放射線検出器の検出データを表示画面上に表示する第二表示処理手段と、
を備えることを特徴とする放射線監視システム。
【請求項２】
請求項１に記載の放射線監視システムであって、
前記中央監視装置は、
前記各放射線検出器に対応して設けられた複数のユニットであって、それぞれ対応する放射線検出器に関する情報を常時表示する複数の個別表示ユニットを備え、
前記各個別選択スイッチは、それに対応する前記個別表示ユニット上に配置されることを特徴とする放射線監視システム。
【請求項３】
請求項１に記載の放射線監視システムであって、
前記監視領域内における区域への監視対象者の入退に関する情報を管理する入退管理装置を備え、
前記中央監視装置は、前記入退管理装置に対応して設けられた個別選択スイッチの操作によって、前記入退に関する情報を表示画面上に表示する第三表示処理手段を有することを特徴とする放射線監視システム。
【請求項４】
請求項１に記載の放射線監視システムであって、
前記中央監視装置は、さらに、
前記各放射線検出器に対応して設けられた複数の発光器であって、前記複数の個別選択スイッチが操作されて前記放射線検出器が選択されると発光する複数の発光器を備えることを特徴とする放射線監視システム。
【請求項５】
請求項４に記載の放射線監視システムであって、
前記複数の発光器は、前記メニュー表示を利用した一連の入力操作によって前記放射線検出器が選択されると発光することを特徴とする放射線監視システム。
【請求項６】
監視領域に配置された複数の放射線検出器の検出データを収集する放射線監視システムの中央監視装置であって、
表示画面上のメニュー表示を利用した一連の入力操作によって選択された前記放射線検出器の検出データを表示画面上に表示する第一表示処理手段と、
前記各放射線検出器に対応して設けられた複数の個別選択スイッチと、
前記複数の個別選択スイッチの操作によって選択された前記放射線検出器の検出データを表示画面上に表示する第二表示処理手段と、
を備えることを特徴とする放射線監視システムの中央監視装置。
【発明の詳細な説明】
【０００１】
【発明の属する技術分野】
本発明は、監視領域に配置された複数の放射線検出器を備える放射線監視システム、及びその中央監視装置に関する。
【０００２】
【従来の技術】
従来より、放射性同位元素を使用する施設での放射線を監視、測定するための装置として放射線監視システムが存在する。このような放射線監視システムは、例えば特開平１１−３２６５２０号公報、特開２０００−１３７０７９号公報などの文献に記載されている。
【０００３】
この放射線監視システムでは、監視領域である施設内に複数の放射線検出器が設置され、それらの放射線検出器により測定された放射線の検出データを中央監視装置が収集して管理している。中央監視装置には、モニタが設けられており、管理者はマウス、キーボードを利用したり、タッチパネルとして構成したモニタに触れることにより、メニュー表示を利用した一連の入力操作によって、放射線検出器のいずれか一つを選択し、その放射線検出器の検出データをモニタ上に表示させている。
【０００４】
【特許文献１】
特開平１１−３２６５２０号公報
【特許文献２】
特開２０００−１３７０７９号公報
【０００５】
【発明が解決しようとする課題】
上述した従来技術に係る放射線監視システムでは、メニュー表示は階層的構成を有し、放射線検出器の一つを選択するために操作者は複数の手順を段階的に踏む必要がある。例えば、（１）オペレーティング・システムのメイン画面が表示される状態から、（２）放射線検出器に関する詳細な情報を表示するためのメニューを選択し、（３）放射線検出器の一覧から所望の放射線検出器を選択することで、放射線検出器の検出データの詳細な情報が表示される。
【０００６】
従来技術に係る放射線監視システムでは、観測を希望する所望の放射線検出器の検出データを表示させるのに、このような一連の手順を踏む必要があるため、たとえその取り扱い方法を覚えた者でも、検出データを表示させるまでにある程度の時間が必要である、といった問題があった。これは、緊急時などに急いで検出データを確認したい場合には不便である。
【０００７】
本発明は、上述の課題に鑑みてなされたものであり、放射線監視システムにおいて、観測を希望する放射線検出器の検出データを、瞬時に表示画面上に表示させることを目的とする。
【０００８】
【課題を解決するための手段】
上記目的を達成するために、本発明に係る放射線監視システムは、監視領域に配置され、放射線を検出する複数の放射線検出器と、前記複数の放射線検出器の検出データを収集する中央監視装置と、を含み、前記中央監視装置は、表示画面上のメニュー表示を利用した一連の入力操作によって選択された前記放射線検出器の検出データを表示画面上に表示する第一表示処理手段と、前記各放射線検出器に対応して設けられた複数の個別選択スイッチと、前記複数の個別選択スイッチの操作によって選択された前記放射線検出器の検出データを表示画面上に表示する第二表示処理手段と、を備えるものである。放射線監視システムを上述のように構成することにより、操作者は、個別選択スイッチを操作することにより、第一表示処理手段の一連の入力操作を行うことなく、観測を希望する放射線検出器の検出データを瞬時に表示させることができる。ここで、第一表示処理手段における表示画面上の入力操作とは、マウスやキーボードを利用した入力操作やタッチパネルとして構成された表示画面上を触れることによる入力操作など、操作者が表示画面を直接的又は間接的に操作することによって行われる全ての入力操作である。
【０００９】
前記中央監視装置は、前記各放射線検出器に対応して設けられた複数のユニットであって、それぞれ対応する放射線検出器に関する情報を常時表示する複数の個別表示ユニットを備え、前記各個別選択スイッチは、それに対応する前記個別表示ユニット上に配置されることが好ましい。このような配置により、操作者は個別表示ユニットの表示により、各放射線検出器の概略な状況を確認し、さらに詳細な情報を確認したい場合には、その同じ個別表示ユニットに配置される個別選択スイッチを操作することで、詳細な情報を表示画面上に表示させることができる。
【００１０】
放射線監視システムは、前記監視領域内における区域への監視対象者の入退に関する情報を管理する入退管理装置を備え、前記中央監視装置は、前記入退管理装置に対応して設けられた個別選択スイッチの操作によって、前記入退に関する情報を表示画面上に表示する第三表示処理手段を有することが好ましい。
【００１１】
前記中央監視装置は、さらに、前記各放射線検出器に対応して設けられた複数の発光器であって、前記複数の個別選択スイッチが操作されて前記放射線検出器が選択されると発光する複数の発光器を備えることが好ましい。これにより、表示画面上に表示されている検出データが、どの放射線検出器のものであるのか判別することができる。また、前記複数の発光器を、前記メニュー表示を利用した一連の入力操作によって前記放射線検出器が選択されると発光するよう構成することも好ましい。
【００１２】
また、本発明に係る放射線監視システムの中央監視装置は、表示画面上のメニュー表示を利用した一連の入力操作によって選択された前記放射線検出器の検出データを表示画面上に表示する第一表示処理手段と、前記各放射線検出器に対応して設けられた複数の個別選択スイッチと、前記複数の個別選択スイッチの操作によって選択された前記放射線検出器の検出データを表示画面上に表示する第二表示処理手段と、を備えるものである。
【００１３】
【発明の実施の形態】
以下に、図面を参照して、本発明の好適な実施形態を説明する。
【００１４】
図１には、放射線監視システムが示されている。放射線監視システムは、大別して、中央監視装置３０と、監視領域に設けられた複数の放射線検出器１０，１２と、監視領域における各区域の出入り口に設けられた入退室リーダ１４と、で構成されている。放射線検出器１０，１２には、空気中の放射線を検出する空気検査用放射線検出器１０と、水中の放射線を検出する水検査用放射線検出器１２とがある。放射線検出器１０，１２は、施設内の各部屋ごとに設けられており、各部屋の排気や排水に含まれる放射線量を測定している。これらの各放射線検出器１０，１２が、施設内に設けられたネットワーク１６を介して、中央監視装置３０に接続されており、各放射線検出器１０，１２の検出データが中央監視装置３０に収集される。
【００１５】
また、入退室リーダ１４は、監視領域に存在する監視対象者の各区域への入退を管理する装置であり、監視対象者の入力により入退に関する情報を取得する機能、設置位置にある扉が施錠状態にあるか開錠状態にあるかを検知する機能、またその扉を施錠／開錠する機能を備えている。この入退室リーダ１４から、監視対象者の入退に関する情報、扉の状態に関する情報が中央監視装置３０により収集される。また、中央監視装置３０は、別のネットワーク（ＬＡＮ）２４を介してプリンタ２０やサーバ２２に接続されており、検出データを印刷したり、検出データをサーバ２２にアップロードすることも可能である。
【００１６】
次に、中央監視装置３０が有する各構成について説明する。中央監視装置３０は、その正面が図２に示されるように構成されている。この中央監視装置３０は、施設の管理室等に設置されており、管理者が中央監視装置３０に表示される検出データを点検することにより、施設内の安全性が確認される。中央監視装置３０には、中央にタッチパネルとして構成された表示画面（液晶ディスプレイ）４２と、警報を発するブザー４４と、警報を停止するための停止ボタン４６と、を備えた表示ユニット４０が配置されている。
【００１７】
また、中央監視装置３０の内部には、放射線監視システムの全体的な動作を制御するシステムコントロールユニット３２と、ネットワーク１６とのインターフェースである接栓ユニット３４と、中央監視装置３０の各ユニットに電力を供給する電源ユニット３６と、が配置されている。システムコントロールユニット３２は、表示ユニット４０に接続されており、タッチパネルを利用した操作者の入力を取得したり、表示画面４２上の画像を表示させる処理を行う。また、システムコントロールユニット３２、接栓ユニット３４、及び後述する個別表示ユニット５０，７０，８０は、中央監視装置３０内部のネットワーク３８に接続され、互いにデータを送受信する。
【００１８】
表示ユニット４０の上の位置には、各放射線検出器１０，１２及び各入退室リーダ１４に一つずつ対応して設けられた複数の個別表示ユニット５０，７０，８０が配置されている。空気検査用放射線検出器１０、水検査用放射線検出器１２、入退室リーダ１４のそれぞれに対応して、異なる種類の個別表示ユニット５０，７０，８０が設けられている。これらの個別表示ユニット５０，７０，８０は、表示パネル５４，７４，８４と制御部５２，７２，８２とで構成されており、それらの表示パネル５４，７４，８４はそれぞれ図３〜図５に示されるような外観である。
【００１９】
各空気検査用放射線検出器１０に対応した個別表示ユニット５０は、図３に示される外観の表示パネル５４を有する。各表示パネル５４には、放射線検出器１０の設置場所及び検査対象物の種類（室内空気、排気など）が表示されている。また、表示パネル５４には、放射線検出器１０の状態（警報、正常、測定中、故障）を示すステータス表示用ＬＥＤ５６，５７，５８，５９と、検出データの警報設定値に対する比率をバー表示する検出値表示用ＬＥＤ６０が設けられている。これらのステータス表示用ＬＥＤ５６，５７，５８，５９と、検出値表示用ＬＥＤ６０により、放射線検出器１０に関する概略な情報が常時表示される。また、表示パネル５４には、押しボタンである個別選択スイッチ６１、及びこの個別選択スイッチ６１が押されると点灯する発光器（ＬＥＤ）６２が設けられている。
【００２０】
制御部５２は、対応する放射線検出器１０の検出データを常時受信し、ステータス表示用ＬＥＤ５６，５７，５８，５９と、検出値表示用ＬＥＤ６０の点灯を制御したり、検出データが警報設定値より大きい場合にはブザー４４から警報を発する制御を行う。また、制御部５２は、内蔵するメモリに、過去の所定期間の検出データを保存し、同時に、検出データをシステムコントロールユニット３２に送信して、システムコントロールユニット３２内のメモリ３３にも検出データを保存させる。
【００２１】
また、制御部５２は、操作者による個別選択スイッチ６１の押圧を検知すると、発光器６２を点灯させる制御を行うとともに、システムコントロールユニット３２に対して検知信号を送信する。この検知信号には、押圧された個別選択スイッチ６１に対応する放射線検出器１０を特定する情報が含まれており、システムコントロールユニット３２は、その特定された放射線検出器１０の検出データをメモリ３３から読み出し、放射線検出器の詳細な情報、すなわち検出データの詳細な値、経時変化を示すグラフ、警報設定値などを表示画面４２上に表示する。
【００２２】
次に、各水検査用の放射線検出器１２に対応した複数の個別表示ユニット７０について説明する。この個別表示ユニット７０は、図４に示される外観の表示パネル７４を有する。各表示パネル７４には、空気検査用放射線検出器１０の表示パネル５４と同様に、放射線検出器１２の設置場所などが表示され、放射線検出器１２の状態（警報、正常、故障）を示すステータス表示用ＬＥＤ５６，５７，５９、検出データの警報設定値に対する比率をバー表示する検出値表示用ＬＥＤ６０が設けられている。また、表示パネル７４には、詳細な測定状態（バックグラウンドＢＧ測定中、準備中、測定中、洗浄中）を示す測定状態表示用ＬＥＤ７５〜７８が配置されている。また、表示パネル７４には、押しボタンである個別選択スイッチ６１、及びこの個別選択スイッチ６１が押されると点灯する発光器６２が設けられている。制御部７２は、空気検査用放射線検出器１０の制御部５２と同様に、各ＬＥＤ５６〜６０，７５〜７８を点灯する処理、検出データをメモリに保存する処理、個別選択スイッチ６１の押圧を検知して検知信号を送信する処理などを行う。
【００２３】
次に、各入退室リーダ１４に対応した複数の個別表示ユニット８０について説明する。この個別表示ユニット８０は、図５に示される外観の表示パネル８４を有している。各表示パネル８４には、入退室リーダ１４の設置場所が表示されている。また、表示パネル８４には、入退室リーダ１４の状態（警報、正常、故障）を示すステータス表示用ＬＥＤ８６，８７，８９と、扉が開錠状態にあるか又は施錠状態にあるかを示す施錠状態表示用（「ＬＯＣＫ」）ＬＥＤ８８と、現在の在室者数を示すＬＥＤ９６が設けられている。また、表示パネル８４には、押しボタンである個別選択スイッチ９３、及びこの個別選択（「詳細」）スイッチ９３が押されると点灯するＬＥＤ９２が設けられている。また、扉を施錠するための「ＬＯＣＫ」ボタン９０と、開錠するための「ＵＮＬＯＣＫ」ボタン９１とが設けられている。
【００２４】
制御部８２は、対応する入退室リーダ１４が取得する監視対象者の各区域への入退に関する情報と、扉の施錠状態の情報を受信して、これらの情報を内蔵するメモリに保存し、同時に、これらの情報をシステムコントロールユニット３２に送信して、システムコントロールユニット３２内のメモリ３３にも保存する。また、制御部８２は、操作者による個別選択スイッチ９３の押圧を検知すると、システムコントロールユニット３２に対して検知信号を送信する。この検知信号には、押圧された個別選択スイッチ９３に対応する入退室リーダ１４を特定する情報が含まれており、システムコントロールユニット３２は、その特定された入退室リーダ１４の情報をメモリ３３から読み出し、監視領域のマップ、在室者の氏名等の情報、各扉の施錠状態などの詳細な情報を表示画面４２上に表示する。
【００２５】
また、表示パネル８４の横には、別のパネル９４が配置されている。このパネル９４には、キーを差し込み回動することにより、施錠ボタン９０及び開錠ボタン９１の有効／無効を設定するキー設定装置９５が設けられている。このキー設定装置９５により、第三者による施錠及び開錠が禁止される。
【００２６】
次に、中央監視装置の表示画面４２に放射線検出器１０，１２の検出データを表示処理するための手順を、図６のフローチャートを参照して説明する。この検出データを表示処理する方法は、操作者がタッチパネルである表示画面４２を触れながらメニュー表示を利用した一連の入力操作を行うことによって表示させる第一の表示処理方法と、操作者が個別選択スイッチ６１を押すことにより表示させる第二の表示処理方法の二通りがある。
【００２７】
第一の表示処理方法では、メイン画面が表示される状態（Ｓ６０１）から、放射線検出器１０，１２の詳細な情報を表示させるためのメニューを選択して（Ｓ６０２）、放射線検出器１０，１２の設置場所の一覧を表示させる。そして、その一覧から放射線検出器１０，１２のいずれか一つを選択して（Ｓ６０３）、その放射線検出器１０，１２の詳細な情報を表示画面４２上に表示させる（Ｓ６０４）。このようにメニュー表示は一般的に階層的であり、放射線検出器１０，１２の一つを選択するために操作者は複数の手順を踏む必要がある。これは、タッチパネルを利用する場合に限らず、マウス、キーボードなどの他の入力手段を用いて選択するときも同様である。
【００２８】
一方、第二の表示処理方法では、操作者により個別選択スイッチ６１が押されると（Ｓ６０５）、システムコントロールユニット３２は一連の操作を経ることなく、その個別選択スイッチ６１が対応する放射線検出器１０，１２の詳細な情報を表示画面４２に表示させる（Ｓ６０４）。この第二の表示処理方法により、操作者は、第一表示処理手段の一連の入力操作を行うことなく、観測を希望する放射線検出器の検出データを瞬時に表示させることができる。
【００２９】
また、本実施形態では、表示パネル５４に個別選択スイッチ６１が配置されている。このため、操作者は表示パネル５４に常に表示される放射線検出器１０，１２に関する概略な情報を見て、異常があることを判断すると、同じ表示パネル５４，７４に配置された個別選択スイッチ６１を押すことで、放射線検出器１０，１２の詳細な情報を表示画面４２に表示させ、直ちに施設の状況を確認することができる。緊急時に、操作者は、この操作を直感的に行うことができ、複雑な判断を必要としないため有効である。
【００３０】
また、本実施形態では、各入退室リーダ１４に対しても個別表示ユニット８０が設けられており、個別選択スイッチ９３を押すことで、各入退室リーダ１４が管理する監視対象者の入退に関する情報を表示させることができる。これにより、表示画面４２で、監視領域である施設のマップを表示させ、監視領域の各区域における監視対象者の存在状況を表示させることができる。また、そのマップ上に各扉の施錠状態を表示させてもよい。
【００３１】
また、本実施形態では、各個別選択スイッチ６１，９３に対応して発光器６２が設けられているため、表示画面４２に表示されている詳細な情報がどの個別表示ユニット５０，７０，８０に対応しているのかが明確である。なお、発光器６２は、操作者によるメニュー表示を利用した入力により放射線検出器１０，１２の詳細な情報が表示されたときも、それに対応して点灯する。
【００３２】
以上、本発明の好適な実施形態について説明したが、本発明は上記実施形態に限定されるものではなく、等価な範囲で様々な変形が可能である。
【００３３】
【発明の効果】
本発明では、複数の放射線検出器のそれぞれに対応して個別選択スイッチを設け、個別選択スイッチのいずれか一つが操作されると、それに対応する放射線検出器の検出データが表示画面上に表示されるように構成したため、観測を希望する放射線検出器の検出データを瞬時に表示画面上に表示させ、確認することができる。
【図面の簡単な説明】
【図１】放射線監視システムの全体構成を示すブロック図である。
【図２】中央監視装置の外観を示す正面図である。
【図３】個別表示ユニット（空気検査用）の表示パネルの正面図である。
【図４】個別表示ユニット（水検査用）の表示パネルの正面図である。
【図５】入退室管理ユニットの表示パネルの正面図である。
【図６】検出データを表示する処理の流れを示すフローチャートである。
【符号の説明】
１０，１２  放射線検出器、１４  入退室リーダ、１６，２４，３８  ネットワーク、２０  プリンタ、２２  サーバ、３０  中央監視装置、３２  システムコントロールユニット、３４  接栓ユニット、３６  電源ユニット、４０  表示ユニット、４２  表示画面、５０，７０，８０  個別表示ユニット、５２，７２，８２  制御部、５４，７４，８４  表示パネル。
【図１】
2004258010.tif 000003
【図２】
2004258010.tif 000004
【図３】
2004258010.tif 000005
【図４】
2004258010.tif 000006
【図５】
2004258010.tif 000007
【図６】
2004258010.tif 000008